(57)【要約】【課題】本発明は、ストロボシュー部全体をストロボ本体に突出部分が残存することなく収納でき、収納性、携帯性に極めて優れたストロボのシュー機構を提供する。【解決手段】本発明は、一端側にストロボ光発光面２１を有するストロボ本体２０の他端側に、カメラシュー部への装着位置とストロボ本体２０に突出部分が残存することなく収納される位置とにわたって回動可能に構成したストロボシュー部１を装備するとともに、ストロボシュー部１をクリック感を持って回動させるクリック機構４０を備える構成としたものである。【選択図】図１
2009205090.tif 000002
【特許請求の範囲】
【請求項１】
ストロボ本体に、カメラシュー部への装着位置と前記ストロボ本体に収納される位置とにわたって回動可能に構成したストロボシュー部を装備したことを特徴とするストロボのシュー機構。
【請求項２】
一端側にストロボ光発光面を有するストロボ本体の他端側に、カメラシュー部への装着位置と前記ストロボ本体に突出部分が残存することなく収納される位置とにわたって回動可能に構成したストロボシュー部を装備するとともに、前記ストロボシュー部をクリック感を持って回動させるクリック機構を備えることを特徴とするストロボのシュー機構。
【請求項３】
一端側にストロボ光発光面を有するストロボ本体の他端側に配置した軸受孔である一対の円形孔を有するシュー受体と、
シュー基筒部と、このシュー基筒部の側部に配置した円形回転体と、シュー基筒部から突設したカメラシュー部への装着用のクランプリング及びシュークリップとを備え、前記円形回転体を前記円形孔に回動可能に嵌装させて、前記クランプリング及びシュークリップを、カメラシュー部への装着位置と前記ストロボ本体に収納される位置とにわたって回動可能としたストロボシュー部と、
前記シュー受体の円形孔の内周部と、前記ストロボシュー部の円形回転体の外周部とにわたって設けられ、前記ストロボシュー部をクリック感を持って回動させるクリック機構と、
を有することを特徴とするストロボのシュー機構。
【発明の詳細な説明】
【技術分野】
【０００１】
本発明は、ストロボのシュー機構の改良に関するものである。
【背景技術】
【０００２】
例えば、一眼レフ型のカメラ等により被写体の撮影を行なう場合、カメラシュー部へストロボシュー部のクランプリング、シュークリップの部分を装着して固定し、ストロボ発光下で撮影を実行することが盛んに行なわれている。
【０００３】
しかし、従来のこの種のストロボにおいては、ストロボシュー部のクランプリングやシュークリップの部分が、ストロボ本体から外方に突出する構成のものが殆どであり、このため、ストロボを保管したり携帯する際にクランプリングやシュークリップが周辺の部材等に引っ掛かって邪魔になる等、収納性、携帯性が良好でないという問題を包含している。
【０００４】
特許文献１には、発光部を本体の一端側に回動可能に連結するとともに、本体の他端側にカメラシュー部への取り付け用のストロボシュー部を突設したストロボ装置が開示されている。
【０００５】
この特許文献１のストロボ装置の場合も、上述した場合と同様、ストロボシュー部が本体から突出する構成であるため、やはり収納性、携帯性が良好でないという問題を包含している。
【特許文献１】特開平１１−１８３９７２号公報
【発明の開示】
【発明が解決しようとする課題】
【０００６】
本発明が解決しようとする問題点は、ストロボシュー部全体をストロボ本体に突出部分が残存することなく収納でき、収納性、携帯性に極めて優れたストロボのシュー機構が存在しない点である。
【課題を解決するための手段】
【０００７】
本発明のストロボのシュー機構は、ストロボ本体に、カメラシュー部への装着位置と前記ストロボ本体に収納される位置とにわたって回動可能に構成したストロボシュー部を装備したことを最も主要な特徴とする。
【発明の効果】
【０００８】
請求項１記載の発明によれば、ストロボシュー部全体をストロボ本体に突出部分が残存することなく収納でき、収納性、携帯性に極めて優れたストロボのシュー機構を提供することができる。
【０００９】
請求項２記載の発明によれば、請求項１記載の発明と同様な効果を奏し、かつ、ストロボシュー部をクリック感を持って装着位置と回動位置との間で操作性良く回動操作することができるストロボのシュー機構を提供することができる。
【００１０】
請求項３記載の発明によれば、ストロボシュー部に設けた円形回転体を、シュー受体の円形孔に回動可能に嵌装させ、ストロボシュー部のクランプリング及びシュークリップを、カメラシュー部への装着位置とストロボ本体に収納される位置とにわたって回動可能とした構成で、請求項２記載の発明と同様な効果を奏するストロボのシュー機構を提供することができる。
【発明を実施するための最良の形態】
【００１１】
本発明は、ストロボシュー部全体をストロボ本体に突出部分が残存することなく収納でき、収納性、携帯性に極めて優れたストロボのシュー機構を提供するという目的を有する。
【００１２】
本発明は、一端側にストロボ光発光面を有するストロボ本体の他端側に、カメラシュー部への装着位置と前記ストロボ本体に突出部分が残存することなく収納される位置とにわたって回動可能に構成したストロボシュー部を装備するとともに、前記ストロボシュー部をクリック感を持って回動させるクリック機構を備える構成により上記目的を実現した。
【実施例】
【００１３】
以下に、本発明の実施例に係るストロボのシュー機構について図１乃至図８を参照して詳細に説明する。
【００１４】
本実施例に係るストロボのシュー機構は、一端側（フロント側）にストロボ光発光面２１を有する略直方体状のストロボ本体２０の他端側に、ストロボシュー部１を、図示しないが例えば一眼レフ型のカメラのカメラシュー部への装着位置（図１）と、前記ストロボ本体２０に突出部分が残存することなく収納される位置（図６）とにわたって回動可能に配置し、かつ、前記ストロボシュー部１をクリック感を持って回動させるクリック機構４０を備えることを基本構成とするものである。
【００１５】
尚、添付図中、図２はシュー機構（装着位置）を含むストロボ本体２０の概略平面図、図３は図２のＡ−Ａ線断面図、図７はシュー機構（収納位置）を含むストロボ本体２０の概略平面図、図８は図７のＢ−Ｂ線断面図である。
【００１６】
前記ストロボ本体２０は、図１乃至図３に示すように、一対構成のトップケース２２及びボトムケース２３を相互に組み合わせて全体として略直方体状を呈し、かつ、一端側（フロント側）、他端側（リア側）が各々開口する形態としている。
前記ストロボ本体２０の一端側には、図３に示すように、ストロボ光発光面２１を形成するフレネルレンズ２４を取り付け、このフレネルレンズ２４の内側にキセノンランプ等の発光ランプ２５及び反射鏡部２６を配置している。
【００１７】
また、前記ストロボ本体２０におけるボトムケース２３側には、電池収納部２７及び着脱可能な電池蓋２８からなる電池ケース２９を配置し、この電池ケース２９内に図示しないが前記発光ランプ２５の電源として機能する電池を着脱可能に収納するように構成している。
【００１８】
前記電池ケース２９と反対側のトップケース２２の内部には、前記発光ランプ２５を発光駆動するためのストロボ駆動回路を組み込んだＩＣチップ等を搭載する電子回路基板３０を内装している。尚、図３中、２２ａは前記トップケース２２の外面に添設したワイドパネルである。
【００１９】
前記ストロボ本体２０の他端側（リア側）には、図４に拡大して示すように、前記ストロボシュー部１の軸受孔として機能する円形孔３２を有する一対構成でかつ分割構造のシュー受体３１を、これらの中間部に前記ストロボシュー部１の収納領域を形成するように、かつ、前記トップケース２２及びボトムケース２３により囲まれる状態で対向配置に取り付けている。尚、図４には一方のシュー受筒体３１のみを明示している。
【００２０】
すなわち、一対構成のシュー受体３１における円形孔３２の中心を結ぶ線が、前記ストロボ本体２０の他端側の端面と同方向となる状態に配置している。
【００２１】
次に、前記ストロボシュー部１について詳述する。前記ストロボシュー部１は、図４に拡大して示すように、前記一対構成のシュー受体３１の間に配置される中空構造のシュー基筒部２と、このシュー基筒部２の側部に一体配置した円形回転体３と、前記シュー基筒部２の一面から外方に突設した図示しないカメラシュー部への取り付け用のクランプリング４及びシュークリップ５と、前記シュー基筒部２の他面（前記一面と隣り合う面）に設けたスイッチ類６及びランプ類７と、を有している。
【００２２】
そして、前記円形回転体３の外周を前記円形孔３２の内周に回動可能に嵌装して円形孔３２を軸受孔として機能させ、前記ストロボシュー部１全体を、例えば、図１に示すカメラシュー部への装着位置と、図６に示すストロボ本体２０に収納される位置とにわたって回動可能、すなわち、図４に示す矢印方向に回動可能としている。
【００２３】
尚、前記ストロボシュー部１の回動角度としては、図１、図６に示す例では９０度となるが、この他前記ストロボシュー部１を１８０度回動可能に構成し得ることは言うまでもない。図６に示すストロボ本体２０に収納される位置から前記ストロボシュー部１を１８０度の範囲で回動可能に構成した場合には、前記ストロボ本体２０を使用してバウンス撮影を行なう場合に有益である。
【００２４】
前記シュー基筒部２の他面（前記一面と隣り合う面）に設けたスイッチ類６及びランプ類７について説明すると、前記スイッチ類６としては例えば押しボタン型の電源スイッチ６ａ、調光補正スイッチ６ｂ、レディランプスイッチ６ｃ等を、前記ランプ類７としては例えばＬＥＤ（発光ダイオード）を用いた電源ランプ７ａ、調光補正ランプ７ｂ、レディランプ７ｃ等を挙げることができる。
【００２５】
次に、図４、図５を参照して前記クリック機構４０について説明する。
【００２６】
このクリック機構４０は、前記円形孔３２の内周部に円周方向に沿って所定間隔で穿設した所要数の係合凹部３３と、前記ストロボシュー部１の円形回転体３に外周から内方に向けて形成した長溝穴８と、この長溝穴８の底部に配置したバネ（例えばコイルバネ）９により外側に向けて付勢する状態で配置した係合片１０と、前記長溝８の一部に設けたストッパー凹部１２と、前記係合片１０の一部、すなわち、前記ストッパー凹部１２に対応する位置に突設したストッパー突片１１と、を有している。
【００２７】
そして、例えばカメラマンによるストロボシュー部１自体の回動操作に応じて、前記バネ９の付勢力を利用して前記係合片１０の先端部を、前記係合凹部３３に没入させたり、前記円形孔３２の内周部に当接させたりして、ストロボシュー部１の回動操作時にクリック感を持たせるように構成している。尚、図４中、１３は前記円形回転体３の外側を覆う円形蓋である。
【００２８】
次に、本実施例に係るストロボのシュー機構の作用、効果について説明する。
本実施例に係るストロボのシュー機構によれば、ストロボシュー部１におけるクランプリング４及びシュークリップ５を、図１に示すように、ストロボ本体２０に対して、直交する方向となるように回動させたとき（装着位置）には、前記クランプリング４及びシュークリップ５を、図示しないカメラのカメラシュー部へ装着し、ストロボ本体２０を使用した被写体撮影を実行することができる。
【００２９】
一方、ストロボ本体２０の運搬時、保管時等においては、前記ストロボシュー部１を図６に示す矢印方向に回動させ、前記クランプリング４及びシュークリップ５を図６に示すようにストロボ本体２０の他端側に収納する（収納位置）。
【００３０】
この状態では、前記クランプリング４及びシュークリップ５が、ボトムケース２３の他端側において外方に突出せず、ストロボ本体２０内にすっきりと納まる状態となる。
【００３１】
これにより、ストロボ本体２０の運搬時、保管時等においてクランプリング４やシュークリップ５が周辺の部材等に引っ掛かることが皆無となって、携帯性、収納性が極めて良好となる。
【００３２】
さらに、本実施例に係るストロボのシュー機構では、運搬時、保管時等において前記クランプリング４及びシュークリップ５を収納位置とすることで、これらが周辺の部材等と接触し、汚れたり損傷したりするという従来例のような不都合な事態が発生することも全く無くなる。
【００３３】
さらに、本実施例に係るストロボのシュー機構によれば、前記クリック機構４０を具備していることによって、カメラマンは、前記ストロボシュー部１をクリック感を持って装着位置と回動位置との間で回動操作することができ、良好な操作性を発揮させることができる。
【産業上の利用可能性】
【００３４】
本発明のストロボのシュー機構は、ストロボシュー部を備えるものであれば、そのサイズの大小を問わず、また、デジタルカメラ用、スチールカメラ用、水中カメラ用等の種別を問わず広範に適用可能である。
【図面の簡単な説明】
【００３５】
【図１】本発明の実施例に係るシュー機構（装着位置）を含むストロボの概略斜視図である。
【図２】本実施例に係るシュー機構（装着位置）を含むストロボの概略平面図である。
【図３】図２のＡ−Ａ線断面図である。
【図４】本実施例に係るシュー機構（装着位置）を含むストロボのボトムケースを除去した状態の概略拡大斜視図である。
【図５】本実施例に係るシュー機構におけるクリック機構を示す部分拡大図である。
【図６】本実施例に係るシュー機構（収納位置）を含むストロボの概略斜視図である。
【図７】本実施例に係るシュー機構（収納位置）を含むストロボの概略平面図である。
【図８】図７のＢ−Ｂ線断面図である。
【符号の説明】
【００３６】
１    ストロボシュー部
２    シュー基筒部
３    円形回転体
４    クランプリング
５    シュークリップ
６    スイッチ類
６ａ  電源スイッチ
６ｂ  調光補正スイッチ
６ｃ  レディランプスイッチ
７    ランプ類
７ａ  電源ランプ
７ｂ  調光補正ランプ
７ｃ  レディランプ
８    長溝穴
９    バネ
１０    係合片
１１    ストッパー突片
１２    ストッパー凹部
１３    円形蓋
２０    ストロボ本体
２１    ストロボ光発光面
２２    トップケース
２２ａ  ワイドパネル
２３    ボトムケース
２４    フレネルレンズ
２５    発光ランプ
２６    反射鏡部
２７    電池収納部
２８    電池蓋
２９    電池ケース
３０    電子回路基板
３１    シュー受体
３２    円形孔
３３    係合凹部
４０    クリック機構
【図１】
2009205090.tif 000003
【図２】
2009205090.tif 000004
【図３】
2009205090.tif 000005
【図４】
2009205090.tif 000006
【図５】
2009205090.tif 000007
【図６】
2009205090.tif 000008
【図７】
2009205090.tif 000009
【図８】
2009205090.tif 000010